(57)【要約】【課題】温度又は流量又はそれらの組み合わせの３つの異なる状態に対応する３つの直線的に離間した位置を有する単一のボタンを提供する。【解決手段】ユーザが操作可能なボタンと、スイッチと、アームを含むアクチュエータとを備える、手持ち式電気器具が開示される。ボタンは、３つの直線的に離間した位置を有し、各々の位置は、スイッチの異なる状態に対応する。アームは、スイッチと係合する表面を備える。スイッチはレバーを備え、レバーは表面との接触によって移動する。レバーは、第１の位置と第２の位置とを有する。レバーの第２の位置は、レバーが表面と接触していない中立位置とすることができる。レバーが第１の位置にある場合、表面は、レバーと係合する。レバーは、アームの凹部に収納される。スイッチは、長手方向に離間する第１及び第２のスイッチを備える。【選択図】図７ａ
2018033955.tif 000002
【特許請求の範囲】
【請求項１】
ユーザが操作可能なボタンと、第１のスイッチと、第２のスイッチと、アクチュエータと、を備える手持ち式電気器具であって、
前記アクチュエータは、前記ボタン，前記第１のスイッチ，及び前記第２のスイッチの間に延びるアームを含み、
前記ボタンは、直線的に離間した３つの位置を有し、前記位置の各々は、前記第１のスイッチ又は第２のスイッチに関する異なる状態に対応する、手持ち式電気器具。
【請求項２】
前記アームは、前記第１のスイッチ又は第２のスイッチと係合するようになった表面を備える、請求項１に記載の電気器具。
【請求項３】
前記第１のスイッチはレバーを備え、前記レバーは、前記表面と接触することで移動する、請求項２に記載の電気器具。
【請求項４】
前記レバーは、第１の位置及び第２の位置を有する、請求項３に記載の電気器具。
【請求項５】
前記レバーの第２の位置は、前記レバーが前記表面と接触していない中立位置である、請求項４に記載の電気器具。
【請求項６】
前記レバーが第１の位置にある場合、前記表面は前記レバーと係合する、請求項４又は５に記載の電気器具。
【請求項７】
前記レバーは、第３の位置をさらに備える、請求項４〜６のいずれかに記載の電気器具。
【請求項８】
前記アームは、第２の表面を備え、前記第２の表面は、前記レバーと係合して、前記レバーの第３の位置への移動をもたらす、請求項７に記載の電気器具。
【請求項９】
前記表面及び前記第２の表面のうちの少なくとも一方は、内面である、請求項６〜８のいずれかに記載の電気器具。
【請求項１０】
前記アームは、第１の表面及び／又は第２の表面の１又はそれ以上で形成された凹部を備える、請求項７〜９のいずれかに記載の電気器具。
【請求項１１】
前記凹部は、Ｖ字形である、請求項１０に記載の電気器具。
【請求項１２】
前記レバーは、前記凹部に収納される、請求項１０又は１１に記載の電気器具。
【請求項１３】
前記第１のスイッチ及び前記第２のスイッチは、長手方向に離間している、請求項１に記載の電気器具。
【請求項１４】
前記アームは、前記第１のスイッチと係合するようになっている第１の表面と、前記第２のスイッチと係合するようになっている追加的な表面とを含む、請求項１又は１３に記載の電気器具。
【請求項１５】
前記アームは、第１の側面を備え、前記第１の表面は、前記第１の側面に位置する、請求項１〜１４のいずれかに記載の電気器具。
【請求項１６】
前記アームは、第２の側面を含み、前記追加的な表面は、前記第２の側面に位置する、請求項１〜１５のいずれかに記載の電気器具。
【請求項１７】
前記第２のスイッチは、プッシュスイッチである、請求項１〜１６のいずれかに記載の電気器具。
【請求項１８】
前記アクチュエータは、ハウジングを備える、請求項１〜１７のいずれかに記載の電気器具。
【請求項１９】
前記ハウジングは、前記ボタンと係合する可動の突出部を備える、請求項１８に記載の電気器具。
【請求項２０】
前記突出部は、前記ボタン位置の各々の１つに対応する３つの直線的に離間した位置を備える、請求項１９に記載の電気器具。
【請求項２１】
前記３つの直線的に離間した位置のうちの第１及び第２の位置は、ディテントによって規定される、請求項２０に記載の電気器具。
【請求項２２】
前記突出部の前記３つの直線的に離間した位置のうちの第３の位置は、ディテントによって規定される、請求項２１に記載の電気器具。
【請求項２３】
前記ハウジングは、ばねをさらに備え、前記突出部の前記３つの直線的に離間した位置のうちの第３の位置は、前記ユーザ操作ボタンが前記ばねに押し付けられた場合にもたらされる、請求項２１に記載の電気器具。
【請求項２４】
前記ばねは、前記突出部を前記第２の位置に向かって付勢する、請求項２３に記載の電気器具。
【発明の詳細な説明】
【技術分野】
【０００１】
本発明は、手持ち式電気器具に関し、より具体的にはホットスタイリング機器などの整髪用電気器具に関する。
【背景技術】
【０００２】
従来のホットスタイリング電気器具において、空気は、ファンユニットによって入口から吸い込まれ、出口から毛髪に向けられる。多くの場合、１つの電気器具は、種々のアタッチメントを備え、各アタッチメントは異なる出口構成、従って例えば乾燥、カーリング、又はボリュマイジングなどの異なる機能を有する。所望のスタイルに応じて、空気は加熱される場合又は加熱されない場合がある。アタッチメントは、整髪のために毛髪が巻き付けられて保持される剛毛（ｂｒｉｓｔｌｅ）を含むことができる。
【発明の概要】
【発明が解決しようとする課題】
【０００３】
電気器具は、押しボタン又は摺動ボタンとすることができる少なくとも１つのユーザ操作ボタンを有する。好都合な１つの特徴は、毛髪を素早く冷やしてスタイルを整えるために、長い毛髪のスタイルが形作られると使用されるコールドショットである。多くの電気器具は、コールドショット用の別個のボタンを有し、ユーザは、毛髪を整える際に２つのボタンを作動させる必要があることを意味し、コールドショットボタン、次に、電気器具の電源をオフにする別のボタンである。コールドショットの解除と電気器具の電源オフとの間の時間間隔では、毛髪は流体にさらされ、これを通過する熱を受けることになり、形作られたスタイルに影響を与える可能性がある。
【課題を解決するための手段】
【０００４】
本発明は、手持ち式電気器具を提供し、この手持ち式電気器具は、ユーザが操作可能なボタンと、スイッチと、ボタンとスイッチとの間に延びるアームを含むアクチュエータとを備え、ボタンは、３つの直線的に離間した位置を有し、各々の位置は、スイッチに関する異なる状態に対応する。
【０００５】
本発明は、例えば、温度又は流量又はそれらの組み合わせの３つの異なる状態に対応する３つの直線的に離間した位置を有する単一のボタンを提供する。ボタンは、該ボタンをスイッチから長手方向に離間するのを可能にするアームを含むアクチュエータに結合される。これにより、スイッチがボタンに直接結合されないので比較的浅いユーザインタフェースが可能になる。
【０００６】
好ましくは、電気器具は外壁を備え、ボタンは、外壁の外面の近くに配置され、外面に対して移動可能であり、アクチュエータ及びスイッチは、外壁の内面の近くに配置され、ボタンから長手方向に離間する。
【０００７】
好ましくは、アームは、スイッチと係合するようになった表面を備える。アームは、細長く、構造体を有する。アームのボタンからの遠位端で又はその近くで、アームは表面を備えることが好ましく、表面は、アームの内面又は外面とすることができ、この表面は、スイッチと係合するようになっている。好ましくは、スイッチはレバーを含み、レバーは、表面との接触によって移動する。１つの実施形態において、レバーは、第１の位置及び第２の位置を有し、別の実施形態において、レバーはさらに第３の位置を備える。
【０００８】
好ましくは、レバーの第２の位置は、レバーが表面と接触していない場合に中立位置である。好ましくは、レバーが第１の位置にある場合、表面はレバーと係合する。表面は、レバーを中立位置から移動させる。１つの実施形態において、アームは、第２の表面を備え、第２の表面はレバーと係合して第３の位置への移動をもたらす。好ましくは、表面は内面である。好ましくは、第２の表面は内面である。内面は、アームの構造体内に設けられた表面である。好ましくは、アームは、第１の表面及び／又は第２の表面の１又は２以上で形成された凹部を備える。凹部は、アームの構造体内の凹部であり、好ましくはＶ字形である。好ましくは、レバーは、凹部に収納される。この実施形態において、凹部は、中立位置が凹部のほぼ中央にあり、スイッチが第２の位置にある場合にレバーが中立位置から移動しないように凹部の任意の表面と有意に接触しないような大きさである。
【０００９】
好ましくは、レバーは、検出器スイッチ、すなわちスイッチに加わる外力がない場合に中立位置又は第２の位置に戻る非ラッチ式ばね付きスイッチの一部である。このようなスイッチは、電気器具の温度及び流量設定と共に使用するのに適しており、ユーザは、好ましくは各位置の間で摺動する単一のボタンによっていくつかの異なる選択肢を選択することができる。
【００１０】
一部の実施形態において、単一のユーザ操作ボタンが、２つの機能をもたらすために使用される。好ましくは、スイッチは、第１のスイッチ及び第２のスイッチを備える。好ましい実施形態において、第１のスイッチ及び第２のスイッチは、長手方向に離間する。好ましくは、アームは、第１のスイッチと係合するようになった第１の表面と、第２のスイッチと係合するようになった追加的な表面とを含む。１つの実施形態において、アームは、第１の側面を備え、第１の表面は第１の側面に位置する。好ましくは、アームは、第２の側面を備え、追加的な表面は、第２の側面に位置する。ボタンは、第１のスイッチ及び第２のスイッチをボタンの位置に応じて連続的に作動するアクチュエータに結合される。好ましくは、第２のスイッチは、プッシュスイッチである。
【００１１】
好ましい実施形態において、アクチュエータは、ハウジングを備える。好ましくは、ハウジングは、ボタンと係合する可動の突出部を備える。好ましくは、突出部は、一端がアームに、他端がボタンに取り付けられる。従って、ボタンが移動すると、突出部及びアームが移動する。好ましくは、ボタンは直線的に移動し、ユーザは、１つの位置から他の位置にボタンを摺動させる。好ましくは、突出部は、各々がボタン位置の各々の１つに対応する３つの直線的に離間した位置を備える。
【００１２】
１つの実施形態において、突出部の３つの直線的に離間した位置のうちの１つは、一時的な位置である。好ましくは、３つの直線的に離間した位置のうちの第１及び第２の位置は、ディテントによって規定される。１つの実施形態において、突出部の３つの直線的に離間した位置のうちの第３の位置は、ディテントによって規定される。もしくは、突出部の３つの直線的に離間した位置のうちの第３の位置は、ユーザがばね付勢に逆らって作動させることで規定される。好ましい実施形態において、ハウジングは、ばねをさらに備え、突出部の３つの直線的に離間した位置のうちの第３の位置は、ユーザ操作ボタンをばねに押し付けた場合にもたらされる。好ましくは、ばねは、突出部を第２の位置に向かって付勢する。従って、ユーザが第３の位置に向かってボタンを押した場合に、アームは、ばねに押し付けられ、第３の位置は、ユーザがばねに対して力を加える間でのみもたらされる。ユーザがボタンに加えた力を解除すると、ばねは、アームを付勢して突出部を第２の位置に戻す。
【００１３】
ディテントを使用すると、異なる位置が選択されたというフィードバックをユーザに与える。加えて、スイッチ切替え位置を知覚するために、突出部が２つの隣接するディテントの間の境界上を移動する際にユーザのための可聴ノイズを作り出すことが可能である。
【００１４】
１つの実施形態において、本発明は、それぞれ、オフ、オン、及びコールドショットに対応する３つの位置を有する単一のボタンを提供するので、ユーザは、単一のボタンを操作することによってコールドショットからオフに素早く移動させることができる。好ましくは、コールドショットの状態又は状况は、第３の位置、すなわち、ばねによって付勢される突出部の位置に対応する。従って、この位置は一時的な位置であり、ユーザは、この状態をアクティブに維持するためにボタンの押圧を維持する必要がある。この実施形態において、２つのスイッチ、つまりオンスイッチ、その後のコールドショットスイッチがある。好ましくは、オンスイッチは押しボタンスイッチであり、コールドショットはラッチ式スイッチである。
【００１５】
好適な実施形態において、電気器具は、ヘアケア電気器具、好ましくは、ホットスタイリング機器である。
【００１６】
本発明は、以下に添付図面を参照して例示的に説明される。
【図面の簡単な説明】
【００１７】
【図１】本発明によるユーザインタフェースを使用することができる電気器具を示す。
【図２ａ】ボタンありのユーザインタフェースの側面図を示す。
【図２ｂ】ボタンなしのユーザインタフェースの側面図を示す。
【図３】本発明によるアクチュエータの半径方向内面を示す。
【図４】本発明によるアクチュエータの一部の断面を示す。
【図５】本発明による別のアクチュエータの断面を示す。
【図６】本発明によるアクチュエータの等角図を示す。
【図７ａ】全てのボタンが第１の位置にあるユーザインタフェースの側面図を示す。
【図７ｂ】全てのボタンが第２の位置にあるユーザインタフェースの側面図を示す。
【図７ｃ】全てのボタンが第３の位置にあるユーザインタフェースの側面図を示す。
【図８】本発明による電気器具の断面を示す。
【図９】電気器具のボタンのうちの１つの断面を示す。
【発明を実施するための形態】
【００１８】
図１を参照すると、手持ち式電気器具１０の実施例が示されている。電気器具は、ハンドル２１０及び整髪用のアタッチメント２０を有する。ユーザが種々のスタイルを作ること及び電気器具に種々の機能を与えるのを可能にするために、アタッチメント２０は、取り外し可能であり、別のアタッチメントに置き換えることができる。加えて、アタッチメント２０は、未使用時に電気器具の保管を容易にするために取り外すことができる。ハンドル２１０は、複数の異なるユーザ操作ボタン３０、１３８を含み、ユーザは複数の異なる温度設定及び流量設定を選択することができる。電気器具は、ファンユニット及びヒーターを含み（いずれも図示せず）、使用時、ファンユニットは、流体入口２１２を通じて流体を吸い込み、流体は随意的に加熱され、その後、アタッチメント２０内の流体出口２２から放出される。
【００１９】
この電気器具１０は、電気器具を制御する２つの異なるボタン構成（構造）を有する。この実施形態において、両方の構成は３つの異なる設定位置を有するが、一方の構成は単一のスイッチを制御するが、他方の構成は２つのスイッチを制御する。第１のボタン構成（構造）３０は、温度又は流量などの電気器具のパラメータを制御するのにより適しており、このボタン形式は、単一のスイッチを制御する。第２のボタン構成１３０（構造）は、電気器具の電源をオンにする及びコールドショット機能を提供するなどの２つの異なる態様を制御するのに適する。もしくは、２つの異なる態様は、コールドショット機能と共に温度又は流量とすることができるが、コールドショットはこれらの機能のうちの最高又は最低の機能でのみ使用することができ必ずしも適切とは限らないので、これらのオプションはより制限的である。
【００２０】
ここで特に図２ａ〜図７ｃを参照して第１のボタン構成３０を説明する。第１のボタン構成３０は、第１の位置３６ａ、第２の位置３６ｂ、及び第３の位置３６ｃの間で移動可能なレバー３６を備えた単一のスイッチ３２を有する。ボタン３８とスイッチ３２との間にアクチュエータ４０が延在し、アクチュエータ４０は、ボタン３８と係合する突出部４２を有し、突出部４２は、スイッチ３２まで延びるアーム４４に取り付けられている。突出部４２は、ハウジング４６内に収納されている。ハウジング４６は、突出部４２が貫通して延びる開口４８を有する。ハウジング４６は、３つのディテント５０を含み、各ディテントは、ボタン３８、突出部４２、アーム４４、及びレバー３６の位置を規定する。ボール５２は、３つのディテント５０の間で移動するようになっており、ばね５４は、ボタン３８のさらなる移動が生じるまで３つのディテント５０のうちの１つにボール５２を付勢する。ばね５４は、突出部４２の内部に設けられた凹部４２ａ内に少なくとも部分的に収納されるので、ボタン３８が移動するとボール５２も各ディテント５０の間で移動する。
【００２１】
アーム４４のハウジングからの遠位端４４ａに又はその近傍に、凹部５６が設けられている。凹部５６は、略Ｖ字形であり、レバー３６を収納して保持するようになっている。第１の位置３６ａにおいて、レバーは凹部５６の内面５８と係合する。レバーの第２の位置３６ｂは、レバー３６の中立位置に対応し、レバーは、押し込まれるか又は引き寄せられることなく凹部５６内にあり、これは中央ボタン位置である。第３の位置３６ｃにおいて、レバーは、凹部５６の第２の表面６０と係合する。第１及び第３の位置において、レバー３６は、ディテント５０にボール５２を付勢するばね５４によって加えられた力によって当該位置に保持される。
【００２２】
ボタン構成３０は、ボタン３８と突出部４２との間に位置するボタンプレート６２をさらに含む。ハンドル２１０は外壁２１４を有し、ボタン３８が各位置の間で移動又は摺動するために、外壁２１４には３つの位置の間の摺動に対応する開口２１６が形成されており、開口２１６はボタン３８よりも大きい。ボタンプレート６２は、外壁２１４の内側に位置し、ボタン３８の位置に無関係に開口２１６を完全に覆う大きさである。ボタンプレート６２は、デブリがハンドル２１０内に直接入るのを防ぐ。
【００２３】
ここで第２のボタン構成１３０を説明する。この実施形態において、第１のボタン構成３０に関連して例示して前述した構成要素は、同様の参照番号を有する。第２のボタン構成１３０は、第１のスイッチ１３２と、第２のスイッチ１５０とを有する。この実施例において、第１のスイッチ１３２はオフオン機能をもたらし、第２のスイッチ１５０はコールドショットをもたらす。図７ａに示すように第２のボタン１３８がオフ位置にある場合、第１のスイッチ１３２及び第２のスイッチ１５０はアクティブではない。図２ａ及び図７ｂに示すように、第２のボタン１３８が１つの位置に移動する場合、第１のスイッチ１３２の表面上に設けられた押しボタン１３４が係合して電気器具の電源がオンになる。
【００２４】
第２のアクチュエータ１４０は、第２のボタン１３８と第１のスイッチ１３２との間に延在する。第２のアクチュエータ１４０は、第２のボタン１３８と係合する突出部４２を有する。突出部４２は、第２のハウジング１４６内に収納されている。第２のハウジング１４６は、突出部４２が貫通して延びる開口４８を有する。第２のハウジング１４６は、２つのディテント５０を含み、各ディテントは、第２のボタン１３８及び第２のアーム１４４の位置を規定する。ボール５２は、２つのディテント５０の間で移動するようになっており、ばね５４は、第２のボタン１３８のさらなる移動が生じるまで２つのディテント５０のうちの１つにボール５２を付勢するために設けられている。ばね５４は、突出部４２の内部に設けられた凹部４２ａ内に少なくとも部分的に収納されるので、第２のボタン１３８が移動するとボール５２も各ディテント５０の間で移動する。
【００２５】
第２のアクチュエータ１４０は、押しボタン１３４と係合する表面１５８を有し、ユーザが第２のボタン１３８をオフ位置からオン位置に移動させると、第２のアーム１４４が移動し、表面１５８は、押しボタン１３４と係合して押しボタン１３４を押し下げる。
【００２６】
第２のボタン１３８は、第３の位置に移動させることができるが、この第３の位置は、ディテントによって規定されず、その代わりに、第３の位置は、第２のボタン１３８が第２の位置にある場合に、ユーザが第２のボタン１３８に圧力を加えた場合にのみもたらされる。アクチュエータ１４０の第１のスイッチ１３２からの遠位端１４０ｂは、ばね１５２を受け入れるように形作られている。ユーザが第２のボタン１３８及び突出部４２を第２の位置から第３の位置へ押し込むと、ボール５２は、中央ディテント５０ｂの外に移動し、ばね１５２の作用に対抗する。第２のアーム１４４は、第２のハウジング１４６から遠位のアーム端部１４４ａの近くに形成された第２の表面１６０を有し、この第２の表面１６０は、第２のボタン１３８がばね１５２に対抗して押し込まれた場合に第２のスイッチ１５０と係合する。第２のスイッチ１５０は、第２の表面１６０に係合した場合に中立位置つまり自由位置から押し込まれる第２のレバー１５４を有し、第２のレバー１５４がこの中立位置の範囲外にある限り、ヒーター（図示せず）が停止してコールドショットがもたらされる。
【００２７】
第１のスイッチ１３２及び第２のスイッチ１５０は、長手方向に離間しており、第２のボタン１３８及び突出部４２が第３の位置に移動した場合、第１のスイッチ１３２の押しボタン１３４は係合したままである。
【００２８】
第２のアーム１４４は、第１の側面１５６を有し、この第１の側面１５６は、押しボタン１３４と係合する表面１５８を含む。第２のアームは、第２の側面１６２を有し、第２の側面は、第２の表面１６０を含む。このことは、両方のスイッチが係合したときに第２のアーム１４４の両側に力が加わるので好都合である。
【００２９】
この実施形態において、第１のボタン構成３０、３０ａは２度にわたって使用され、一方は温度設定用であり、他方は流量設定用である。適宜、一対の第１のボタン構成３０、３０ａは、第２のボタン構成１３０によって分離される。このことは、外壁２１４上に製品の全ての制御部が位置付けられる小領域をユーザが有することを意味する。ユーザをアシストするために、第２のボタン１３８は、第１のボタン３８よりも大きく、外壁２１４に沿ってずれており三角形のＵＩ（ユーザインタフェース）１８０を形成する（図２ａ）。ユーザは、触ることで自然に第２のボタン１３８を識別することができ、ＵＩを見ることなく設定を変更することができる。
【００３０】
図示の実施例において（図８参照）、全てのスイッチは、基板７０、例えば、ＰＣＢ（プリント回路基板）に取り付けられている。通常このような基板は平らであるが、基板７０がハンドル２１０の内部空間のかなりの割合を占有しないように、１つの実施形態において、基板は、２つの要素７０ａ、７０ｂで形成され、可撓性部分７２がこの２つの要素を接続する。これによって、基板７０は、ハンドル２１０の外壁２１４の形状により密接に従うＶ字形状にわずかに屈曲させることができる。流体流路はハンドル２１０の内部を貫通して延びるので、基板７０を屈曲させると、ハンドル２１０の内部に流れる流体への狭窄がより少なくなる。第２のアーム１４４は、可撓性部分７２の上方で基板のほぼ中央に配置され、基板７０の一方の要素７０ａに対応する一方側上の押しボタン１３４に係合する。第２のアーム１４４は、基板の他方の要素７０ｂに対応する他方側上の第２のスイッチ１５０に係合する。第２のアーム１４４は、ハンドル２１０の長手方向軸線Ａ−Ａに平行な第１の方向Ｘ−Ｘで、第２のハウジング１４６から離れる方向に延びるが、第２のアーム１４４は、第１の方向に対して実質的に直交する第２の方向Ｙ−Ｙにも延びる。これによって、第２のアーム１４４の第２のハウジング１４６からの遠位端１４４ａの近くにＬ字外形が生成される。第２の方向Ｙ−Ｙは、外壁２１４から基板７０に向かって延びる。Ｌ字外形によって、単一のアーム１４４は、基板７０の屈曲部を横切って第１のスイッチ１３２及び第２のスイッチ１５０と係合することができる。
【００３１】
ここで図９を参照すると、この実施形態において、ユーザ操作ボタン３８、１３８を有するＵＩに加えて、追加的なボタン１００が設けられている。この追加的なボタン１００は、ハンドル２１０に対してアタッチメント２０を保持及び解放するアタッチメント機構（図示せず）を操作する。
【００３２】
ハンドル２１０の外壁２１４は、楕円断面である。ハンドル２１０は、長軸Ｂ−Ｂ及び短軸Ｃ−Ｃを有する。長軸は、より大きな半径及び直径を有する軸である。楕円形のハンドル２１０とすることでいくつかの利点が得られる。すなわち、ハンドル２１０はユーザの手の中で方向付けられ、短軸の同等の円形と比較するとハンドル２１０の内部に大きな空間がもたらされる。
【００３３】
ユーザが長軸を親指と人さし指との間の指間膜（ｗｅｂ）で正しい方向に置くことは自然なことである。ユーザ操作ボタン３８、１３８、及び１００は、長軸に接近して設けられ、親指又は人さし指により簡単にアクセスすることができる。１つの実施形態において、追加的なボタン１００は、第２のボタン１３８の対称位置にある。このことはいくつかの利点を有し、ユーザの手の中にある電気器具の向きに関してユーザが正しい方向に置くのを手助けし、製品をバランス調整し、且つ、視覚的に魅力がある。
【００３４】
ユーザインタフェース１８０は、第１のボタン構成３０、３０ａ及び第２のボタン構成１３０を備え、長軸Ｂ−Ｂの第１の頂点１８２に設けられている。具体的には、図示の実施形態において、第２のボタン構成１３０は、第１の頂点１８２上に設けられ、第１のボタン構成３０、３０ａの各々は、三角形のユーザインタフェース１８０を形成するために、第１の頂点１８２の両側でそれぞれ半径（ラジアル）方向にオフセットしている。３つのユーザ操作ボタンのうちの第２のユーザ操作ボタンは、オン／オフスイッチを備える。適宜、一対の第１のボタン構成は、第１及び第３のボタンと呼ばれ、これらは、それぞれ温度及び電気器具を通る流量を制御する。好都合には、第１及び第３のボタンは、第２のボタンから長手方向に変位しており、三角形のユーザインタフェースの底辺を形成する。第２のボタン１３８は、三角形の頂点に配置されている。
【００３５】
追加的なユーザ操作ボタン１００は、長軸Ｂ−Ｂの第２の頂点１８４上に設けられている。従って、追加のユーザ操作ボタン１００は、第２のボタン構成１３０の対称位置にある。
【００３６】
ハンドル２１０の内部の大きな空間は、ハンドル２１０の口径の全体的印象が著しく大きくなることなく達成される。楕円の使用は長軸のサイズを隠す。また、円形断面のハンドルとすると、長軸サイズは、多くの人々が無理なく保持するには大き過ぎるであろう。
【００３７】
ユーザインタフェース１８０は三角形であり、三角形の各々の頂点に１つのユーザ操作ボタンがある。２つの第１のボタン構成３０、３０ａがあるので、１つの実施形態において、三角形のユーザインタフェース１８０は、二等辺三角形の形態であり、２つの第１のボタン構成は、三角形の底辺のそれぞれのコーナー部に設けられる。
【００３８】
１つの実施形態において、追加的なユーザ操作ボタン１００は、ユーザインタフェース１８０から長手方向に変位している。その理由の１つは、追加のユーザ操作ボタン１００が、アタッチメント機構を作動させ、これによりアタッチメント２０が電気器具１０のハンドル２１０に対して取り付けられかつこれから解放され、結果として、この機構は、追加的なユーザ操作ボタン１００が、アタッチメント２０が取り付けられるハンドル２１０の第１の端部２１０ａに隣接するか又はそれに近接する場合に簡素化される点にある。この構成の第２の利点は、追加的なユーザ操作ボタン１００の操作を容易にするよう機能する内部機構とユーザインタフェース１８０とは、ハンドル２１０内で分離することができ、結果的に、これらの内部機構による断面積の何らか内部減少は、ハンドル２１０内で長手方向に離れている点にある。第３の理由は、この構成が、親指で全てアクセスできる第１、第２、及び第３のボタンを備えた三角形のユーザインタフェース１８０と、対称位置でハンドル２１０の第１の端部２１０ａの近くの追加的なユーザ操作ボタン１００とを有する電気器具を、ユーザが自然に手の中で正しい方向に置くのを助ける点にある。この実施形態において、第２のボタン１３８は、追加的なユーザ操作ボタン１００及びハンドル２１０の第１の端部２１０ａから遠位で、ユーザインタフェース１８０の頂点上にある。
【００３９】
前述の実施例において、第１のボタン構成１３０は、３つの設定位置を有するが、これは必須ではなく、より多くの設定位置又はより少ない設定位置とすることができる。加えて、第１及び第２のスイッチは、アームの両側に設けられるが同様に必須ではなく、空間的制約により、２つのスイッチは、アームの同じ側に設けることができる。
【００４０】
２つの第１のボタン構成３０、３０ａは、図示する実施形態において僅かに相違し、各々の凹部６０、６０ａの構成が僅かに相違する。これらの相違は、単に基板７０上の空間的検討に起因する。従って、２つの凹部６０、６０ａは代替的に同じとすることができる。
【００４１】
各図において、特に図７ａ〜図７ｃにおいて、ボタンは同時に同じ位置に示されているが、これは単に本発明の説明を容易にするためであり、３つのボタン位置の各々に関する各々の組み合わせは、他のものと共に使用することができる。例えば、各々の温度設定位置は機械がオンの場合に使用することができ、コールドショットは何らかの流量設定位置で使用することができる。
【００４２】
本発明は、ホットスタイリング機器に関連して詳細に説明されているが、流体を吸い込んで電気器具から流体の流出流を送る任意の電気器具に適用できる。
【００４３】
電気器具は、ヒーターありで又はなしで使用することができ、流体の高速流出流の作用は乾燥効果をもたらす。
【００４４】
電気器具を通過する流体は、一般的には空気であるが、ガスの種々の組み合わせとすることができ、電気器具の性能又は電気器具が物体上にもたらす影響を改善するための、その生成物が毛髪又はその整髪用に向けられる添加物を含むことができる。
【００４５】
本発明は、前述の詳細な説明に限定されない。当業者であれば種々の変形例を理解できるはずである。
【符号の説明】
【００４６】
３０  第１のボタン構成
３０ａ  第１のボタン構成
３８  ボタン
１００  追加的なユーザ操作ボタン
１３０  第１のボタン構成
１３８  第２のボタン
１８２  第１の頂点
１８４  第２の頂点
２１０  ハンドル
２１４  外壁
【図１】
2018033955.tif 000003
【図２ａ】
2018033955.tif 000004
【図２ｂ】
2018033955.tif 000005
【図３】
2018033955.tif 000006
【図４】
2018033955.tif 000007
【図５】
2018033955.tif 000008
【図６】
2018033955.tif 000009
【図７ａ】
2018033955.tif 000010
【図７ｂ】
2018033955.tif 000011
【図７ｃ】
2018033955.tif 000012
【図８】
2018033955.tif 000013
【図９】
2018033955.tif 000014